(57)【要約】      （修正有）【課題】天レールと地レールとの間に所定間隔で立設した支柱の表裏両面又は片面に係止具にてパネル板を上方変位可能に係合し、上下スラブの層間変位に対して面内でロッキング変位可能としてなる耐震性間仕切壁において、設けられた引戸に阻害されず、地震時のパネル板の上下変位を許容してパネル板のせり上がりを防止することが可能な引戸装置を提供する。【解決手段】出入り口を開閉する外付けの引戸２９を吊支するレール部材３０を、複数の支柱６にわたって横設するに当り、パネル板７間の目地部、または端部部材とパネル板間の目地部に設けたスペーサ部材を介在させて、レール部材３０と前記パネル板７との間に所定の隙間を形成して取付け、ロッキング時に、パネル板７の上下変位を許容するとともに、レール部材３０のスペーサ部材に対する面内方向の相対変位を許容してなる。【選択図】図３
2019070257.tif 000002
【特許請求の範囲】
【請求項１】
上スラブの下面側に構築した吊り天井構造体と下スラブの上面側に構築したフロア構造体との間に設け、前記吊り天井構造体の下面に取付けた天レールと前記フロア構造体の上面に取付けた地レールとの間に、所定間隔で立設した支柱の表裏両面又は片面に係止具にてパネル板を上方変位可能に係合し、上下スラブの層間変位に対して面内でロッキング変位可能としてなる耐震性間仕切壁であって、一対の支柱間を解放して出入り口とし、該出入り口を開閉する外付けの引戸を吊支するレール部材を、複数の支柱にわたって横設するに当り、パネル板間の目地部、または端部部材とパネル板間の目地部に設けたスペーサ部材を介在させて、前記レール部材と前記パネル板との間に所定の隙間を形成して取付け、ロッキング時に、前記パネル板の上下変位を許容するとともに、前記レール部材のスペーサ部材に対する面内方向の相対変位を許容してなることを特徴とする間仕切壁における引戸装置。
【請求項２】
一対の支柱間を解放して出入り口とし、該出入り口を構成する両支柱及び一方の支柱に隣接する他の支柱の３本の支柱の上部で表裏一側面に渡り、前記出入り口を閉鎖しうる横幅を有する引戸を吊支したレール部材を、該３本の支柱に設置されたパネル板間の目地部、または端部部材とパネル板間の目地部に設けたスペーサ部材を介在させて横設する請求項１記載の間仕切壁における引戸装置。
【請求項３】
前記レール部材に設けられた穴をネジが挿通して前記支柱にレール部材が横設され、該穴が支柱毎に上下二箇所ずつ設けられ、かつ、上側の穴もしくは下側の穴が全て横長穴となっており、前記支柱のロッキング変位時に前記横長穴内で前記ネジの横方向変位を許容する請求項１又は２記載の間仕切壁における引戸装置。
【請求項４】
前記レール部材に設けられた穴をネジが挿通して前記支柱にレール部材が横設され、該穴が支柱毎に上下二箇所ずつ設けられ、かつ、上側の穴もしくは下側の全ての穴の直径が、挿通されるネジの軸部の直径の２倍以上とし、該大径穴を用いて前記レール部材を支柱に取り付けるネジとして、前記大径穴より大きなワッシャーを頭部に介在させたネジ、前記大径穴より大きな頭部を有する大頭ネジ、前記大径穴より大きなフランジを頭部に備えたフランジボタンキャップネジの内から選ばれた１種又は２種以上を用い、前記支柱のロッキング変位時に前記大径穴内で前記ネジの横方向変位を許容する請求項１又は２記載の間仕切壁における引戸装置。
【発明の詳細な説明】
【技術分野】
【０００１】
本発明は、耐震性間仕切装置における引戸装置に関わり、さらに詳しくは耐震性間仕切装置において引戸にも耐震性を備えた引戸装置に関するものである。
【背景技術】
【０００２】
従来から、複数の支柱を所定の間隔毎に隣設し、支柱間にパネル板を設けることで間仕切壁とし、間仕切壁の一部に引戸を設けることで開閉扉を設けることは周知である。
【０００３】
たとえば特許文献１のように、間仕切壁装置の複数の支柱にわたりレール部材を横設し、該レール部材に引戸を吊支して水平移動可能とし、支柱間に設けられた解放部を出入口とする引戸装置が提供されている。
【０００４】
また、東日本大震災において多くの吊り天井構造体が落下し、破損したことを受け、間仕切装置について、地震振動対策を施す方法も多数検討されている。特に長周期の地震振動により生じる層間変位により、一度持ち上がった間仕切装置のパネル板が元に戻らず、パネル板が左右傾斜に伴い徐々に持ち上がり、やがてパネル板の上端が天井に衝突したり、パネル板の他側が支柱から脱落してしまうことがある。
【０００５】
そこで、上スラブの下面側に構築した吊り天井構造体と下スラブの上面側に構築したフロア構造体との間に設け、前記吊り天井構造体の下面に取付けた天レールと前記フロア構造体の上面に取付けた地レールとの間に、所定間隔で立設した支柱の表裏両面又は片面に係止具にてパネル板を上方変位可能に係合し、上下スラブの層間変位に対して面内でロッキング変位可能としてなる耐震性間仕切壁は本出願人から既に提供されている。
【０００６】
また、特許文献２のように、間仕切装置のパネル板と連結部材との間に所定の隙間を設けることで、地震時のパネル板の上下変位を許容してパネル板のせり上がりを防止することが可能な耐震性間仕切装置などが提供されている。
【先行技術文献】
【特許文献】
【０００７】
【特許文献１】特開２００９−１７４２９３号公報
【特許文献２】特開２０１５−０９４１０９号公報
【発明の概要】
【発明が解決しようとする課題】
【０００８】
一方、間仕切壁の構造自体や特許文献２のように直角に連結する連結部についてのみ地震振動対策を施したとしても、引戸装置の引戸の吊止め用レールを直接パネル板にネジ止めしあるいは支柱にネジ止めしてレールでパネル板を押さえつけてしまうと、レールは複数のパネル板を固定してしまい、レールによって固定された複数にパネル板は地震振動により同時に振動してしまい、パネル板が元の位置に復帰することができなくなってしまう。
【０００９】
そこで、本発明が前述の状況に鑑み解決しようとするところは、所定の間隔で立設された複数の支柱に引戸の吊止め用のレール部材を、スペーサ部材を介在させて横設し、該レール部材とパネル板の間に所定の隙間を設けることで、地震時のパネル板の上下変位を許容してパネル板のせり上がりを防止することが可能な間仕切装置における引戸装置を提供する点にある。
【課題を解決するための手段】
【００１０】
本発明は、前述の課題解決のために、以下に構成する間仕切壁における引戸装置を提供する。
【００１１】
（１）
上スラブの下面側に構築した吊り天井構造体と下スラブの上面側に構築したフロア構造体との間に設け、前記吊り天井構造体の下面に取付けた天レールと前記フロア構造体の上面に取付けた地レールとの間に、所定間隔で立設した支柱の表裏両面又は片面に係止具にてパネル板を上方変位可能に係合し、上下スラブの層間変位に対して面内でロッキング変位可能としてなる耐震性間仕切壁であって、一対の支柱間を解放して出入り口とし、該出入り口を開閉する外付けの引戸を吊支するレール部材を、複数の支柱にわたって横設するに当り、パネル板間の目地部、または端部部材とパネル板間の目地部に設けたスペーサ部材を介在させて、前記レール部材と前記パネル板との間に所定の隙間を形成して取付け、ロッキング時に、前記パネル板の上下変位を許容するとともに、前記レール部材のスペーサ部材に対する面内方向の相対変位を許容してなることを特徴とする間仕切壁における引戸装置。
【００１２】
（２）
一対の支柱間を解放して出入り口とし、該出入り口を構成する両支柱及び一方の支柱に隣接する他の支柱の３本の支柱の上部で表裏一側面に渡り、前記出入り口を閉鎖しうる横幅を有する引戸を吊支したレール部材を、該３本の支柱に設置されたパネル板間の目地部、または端部部材とパネル板間の目地部に設けたスペーサ部材を介在させて横設する（１）記載の間仕切壁における引戸装置。
【００１３】
（３）
前記レール部材に設けられた穴をネジが挿通して前記支柱にレール部材が横設され、該穴が支柱毎に上下二箇所ずつ設けられ、かつ、上側の穴もしくは下側の穴が全て横長穴となっており、前記支柱のロッキング変位時に前記横長穴内で前記ネジの横方向変位を許容する（１）又は（２）記載の間仕切壁における引戸装置。
【００１４】
（４）
前記レール部材に設けられた穴をネジが挿通して前記支柱にレール部材が横設され、該穴が支柱毎に上下二箇所ずつ設けられ、かつ、上側の穴もしくは下側の全ての穴の直径が、挿通されるネジの軸部の直径の２倍以上とし、該大径穴を用いて前記レール部材を支柱に取り付けるネジとして、前記大径穴より大きなワッシャーを頭部に介在させたネジ、前記大径穴より大きな頭部を有する大頭ネジ、前記大径穴より大きなフランジを頭部に備えたフランジボタンキャップネジの内から選ばれた１種又は２種以上を用い、前記支柱のロッキング変位時に前記大径穴内で前記ネジの横方向変位を許容する（１）記載の間仕切壁における引戸装置。
【発明の効果】
【００１５】
以上にしてなる本発明の間仕切壁における引戸装置は、以下に示す効果を奏する。
【００１６】
（１）の構成によれば、上スラブの下面側に構築した吊り天井構造体と下スラブの上面側に構築したフロア構造体との間に設け、前記吊り天井構造体の下面に取付けた天レールと前記フロア構造体の上面に取付けた地レールとの間に、所定間隔で立設した支柱の表裏両面又は片面に係止具にてパネル板を上方変位可能に係合し、上下スラブの層間変位に対して面内でロッキング変位可能としてなる耐震性間仕切壁であって、一対の支柱間を解放して出入り口とし、該出入り口を開閉する外付けの引戸を吊支するレール部材を、複数の支柱にわたって横設するに当り、パネル板間の目地部、または端部部材とパネル板間の目地部に設けたスペーサ部材を介在させて、前記レール部材と前記パネル板との間に所定の隙間を形成して取付け、ロッキング時に、前記パネル板の上下変位を許容するとともに、前記レール部材のスペーサ部材に対する面内方向の相対変位を許容してなるので、大きな地震振動、特に長周期の地震振動によって生じる層間変位により、間仕切装置は支柱やパネル板が上下方向にずれるような大きな力が働いて、パネル板がせりあがっても、レール部材に阻害されることなく、隙間の存在によって自重により元の位置に復帰することができる。
【００１７】
（２）の構成によれば、前記耐震性間仕切壁における引戸装置において、一対の支柱間を解放して出入り口とし、該出入り口を構成する両支柱及び一方の支柱に隣接する他の支柱の３本の支柱の上部で表裏一側面に渡り、前記出入り口を閉鎖しうる横幅を有する引戸を吊支したレール部材を、該３本の支柱に設置されたパネル板間の目地部、または端部部材とパネル板間の目地部に設けたスペーサ部材を介在させて横設することで、前記引戸装置において出入り口を構成するための最低限の支柱の本数を定め、小型の同装置を提供することができる。
【００１８】
（３）の構成によれば、前記レール部材に設けられた穴をネジが挿通して前記支柱にレール部材が横設され、該穴が支柱毎に上下二箇所ずつ設けられ、かつ、上側の穴もしくは下側の穴が全て横長穴とし、前記支柱のロッキング変位時に前記横長穴内で前記ネジの横方向変位を許容することで、該レールが横方向変位の力を吸収し、前記パネル板がせりあがるのを防ぐことができる。
【００１９】
（４）の構成によれば、前記レール部材に設けられた穴をネジが挿通して前記支柱にレール部材が横設され、該穴が支柱毎に上下二箇所ずつ設けられ、かつ、上側の穴もしくは下側の全ての穴の直径が、挿通されるネジの軸部の直径の２倍以上とし、該大径穴を用いて前記レール部材を支柱に取り付けるネジとして、前記大径穴より大きなワッシャーを頭部に介在させたネジ、前記大径穴より大きな頭部を有する大頭ネジ、前記大径穴より大きなフランジを頭部に備えたフランジボタンキャップネジの内から選ばれた１種又は２種以上を用い、前記支柱のロッキング変位時に前記大径穴内で前記ネジの横方向変位を許容することで、該レールが横方向変位の力を吸収し、前記パネル板がせりあがるのを防ぐことができる。
【図面の簡単な説明】
【００２０】
【図１】間仕切壁における引戸装置の略正面図である。
【図２】該引戸装置の地震時の変位状態を示す説明図である。
【図３】該引戸装置の要部縦断面図である。
【図４】該引戸装置のレール部材の要部縦断面図である。
【図５】図４のＶ−Ｖ線断面図である。
【図６】該引戸装置のレール部材及び間仕切壁の部分分解斜視図である。
【図７】該引戸装置のレール部材及び間仕切壁の部分分解斜視図である。
【図８】該引戸装置のレール部材のネジ止め箇所の略正面図である。
【図９】該引戸装置のレール部材のネジ止め箇所の、地震時の変位状態の略正面図である。
【発明を実施するための形態】
【００２１】
次に、添付図面に示した実施形態に基づき、本発明を詳細に説明する。図１は本発明に係る間仕切装置における引戸装置の略正面図、図２は地震時の変位状態を示す図、図３は本発明の要部縦断面を示し、図４及び５はレール部材３０の要部縦及び横断面図、図６及び図７はレール部材３０及び間仕切壁の部分分解斜視図である。
【００２２】
まず図１〜３に示す通り、本実施形態の耐震性間仕切装置は、上スラブＳＵの下面側に構築するとともに、構造壁Ｗとの間に所定のクリアランスＧ１を設けた耐震性の吊り天井構造体１と、下スラブＳＤの上面側に構築したフロア構造体２との間に設け、前記吊り天井構造体１の下面に取付けた天レール４と前記フロア構造体２の上面に取付けた地レール５との間に、上端部は前記天レール４、下端部は前記地レール５の変位に追従可能となるように、複数の支柱６，…を所定間隔毎に立設するとともに、支柱６，６間にそれぞれパネル板７を上方変位可能に係止具８で係止して複数の支柱６，…とパネル板７，…が一連化したパネル構造体３を形成し、地震時の上下スラブＳＵ，ＳＤの層間変位に対してパネル構造体３が面内でロッキング変位可能とし、つまりパネル面内で支柱６，…及びパネル板７，…が左右に傾斜しても、該パネル板７の上端と天レール４の天井取付面との間に、正面視略三角形若しくは略台形の上部空間Ｇ３が残るように構成したものである。
【００２３】
前記パネル構造体３は、該支柱６の上端部は前記天レール４、該支柱６の下端部は前記地レール５の変位に追従可能とし、前記支柱６，６間に前記パネル板７を上方変位可能に複数の係止具８，…で係止し、上下スラブＳＵ，ＳＤの層間変位に対して面内でロッキング変位可能としたものである。ここで、「ロッキング」とは、複数の支柱６，…が平行を保ってパネル面内で左右に傾斜し、それに応じてパネル板７，…も左右に傾斜する動作を示している。
【００２４】
本実施形態では、前記吊り天井構造体１は、新基準の耐震性を備えていることを前提とする。前記吊り天井構造体１は、図２に示すように、上スラブＳＵから垂下した複数の吊支部材１２，…によって、縦横に張り巡らした天井支持レール１３，…を吊下げ状に保持し、隣接する吊支部材１２，１２間をクロス状にブレース１４を設けて強度を高め、前記天井支持レール１３，…で天井パネル１５，…を支持した構造である。  
【００２５】
次に、図１及び３に基づいて、前記パネル構造体３を詳しく説明する。先ず、前記吊り天井構造体１の天井パネル１５の下面に沿って下向き開放の断面略コ字形の天レール４を取付け、前記フロア構造体２の上面に前記天レール４と平行になるように上向き開放の断面略コ字形の地レール５を取付ける。
【００２６】
そして、下端にアジャスター１６を取付けた支柱６の上端部に設けた天保持金具１７を前記天レール４の天レール凹溝１８内に嵌合するとともに、前記アジャスター１６を前記地レール５の地レール凹溝１９内に嵌挿し、地レール５の底面に載置する。そして、前記支柱６の表裏両面の面板２０には上下方向に所定間隔毎に係止孔２１，…  を２列設けられ、前記係止具８を係止できるようになっている。そして、前記支柱６の係止孔２１に係止した係止具８に、前記パネル板７の側縁部裏面に設けた係合孔２２を係止して装着している。
【００２７】
次に図４〜７に基づいて、レール部材３０について詳しく説明する。レール部材３０はレール基板３１、レールカバー３２、及びガイドレール３３からなる。該レールカバー３２はレール基板側壁３４に天ネジ３５によってネジ止めされることで固定される。そして、レール基板凹部３６及び下板部３７にはそれぞれ凹部ネジ穴３８と下板部ネジ穴３９が設けられ、上板部４０には、前記ガイドレール３３が設けられる。ここで、前記凹部ネジ穴３８または該下板部ネジ穴３９は、横長穴や大径穴でもよい。なお、大径穴は、挿通されるネジの軸部の直径の二倍より大きいものであることが好ましい。ネジにワッシャー５７を同時に挿通することや、該大径穴よりも大きな頭部有する大頭ネジを使用することや、該大径穴よりも大きなフランジを有するフランジボタンキャップネジを使用することなどにより、ネジの横方向変位を許容しつつ、該レール部材３０を前記支柱６に安定して固定できる。
【００２８】
引戸２９の上端にはガイドローラー板材４１が設けられ、該板材には水平回転可能なガイドローラー４２が設けられる。該板材と該引戸２９は吊支ネジ４３により固定され、該前記ガイドレール３３は該ガイドローラー４２を受け入れることにより、該引戸２９を吊支するとともに該ガイドローラー４２を案内する。なお引戸２９の下部には、引戸下部ローラー４４が設けられ、床面上を該引戸下部ローラー４４が水平回転することで、引戸２９を左右方向に移動可能とする。ガイドレール３３の端部よりレール基板端部寄りの下板部３７にストッパー４５を設け、前記引戸２９が全開時に前記ガイドローラー４２がガイドレール３３の端部を乗り越えて、該引戸２９が落下することを防止する。
【００２９】
前記レール部材３０は、スペーサ部材４６を介在させて、前記支柱６にネジ止めされる。前記スペーサ部材４６には上部ネジ穴４７、中部ネジ穴４８、下部ネジ穴４９が設けられており、前記凹部ネジ穴３８と該上部ネジ穴４７を上ネジ５０が挿通してネジ止めされ、前記下板部ネジ穴３９と該下部ネジ穴４９を下ネジ５１が挿通して同じくネジ止めされる。該中部ネジ穴４８は、支柱６に直接ネジ止めされる。スペーサ部材４６とレール基板３１の間には挟み込み板５２が挟み込まれる。該挟み込み板５２には、挟み込み板上部ネジ穴５３、及び挟み込み板下部ネジ穴５４が設けられ、該挟み込み板上部ネジ穴５３と前記凹部ネジ穴３８及び上部ネジ穴４７が、挟み込み板下部ネジ穴５４と前記下板部ネジ穴３９及び下部ネジ穴４９が、一組となり、それぞれネジが挿通される。なお、前記凹部ネジ穴３８または前記下板部ネジ穴３９が横長穴や大口径穴である場合、該挟み込み板上部ネジ穴５３または該挟み込み板下部ネジ穴５４も同形状の穴となっている。
【００３０】
また、図８及び図９を使い、下ネジ５１の横方向変位について説明する。平常時は、上ネジ５０と下ネジ５１は略垂直に目地部５６に接続されている。また、通常時は、凹部ネジ穴３８および下板部ネジ穴３９のほぼ中心部に、それぞれ上ネジ５０と下ネジ５１は配置される。仮に地震が発生してもそれぞれのネジが強固に固定されているので、レール部材３０が落下することは原則として起こりがたい。しかし、特に横揺れや、長周期の振動が発生し、支柱がロッキング変位した場合、変位により生じた運動エネルギーがネジに集中し、ネジの破損を起こす可能性がある。そこで、凹部ネジ穴３８または下板部ネジ穴３９のいずれかを横長穴にすることで（図９では、下板部ネジ穴３９が横長穴になっている）、ネジの横方向変位を許容し、ネジの破損を回避することができる。図９にある通り、地震が発生し、支柱６が左方向に傾くと、平常時と比べ、下ネジ５１と上ネジ５０の位置に水平方向のフレ角θが生じる。このフレ角θを、下ネジ５１が横長穴である下板部ネジ穴３９の左端部６０及び右端部６１間を水平移動することで吸収し、下ネジ５１が破損して、レール部材３０が落下することを防ぐ。なお、凹部ネジ穴３８又は下板部ネジ穴３９が大口径穴の場合も同様であるが、上ネジ５０又は下ネジ５１は、左右方向のみならず円周方向変位も可能となる。
【００３１】
前記支柱６の面板２０の左右両側にパネル板７を係止することにより、前記面板２０上に二枚のパネル板端部５８が設置されることとなり、かつ、両端部は互いに接していない。その結果、該両パネル板端部５８及び面板２０により形成される略直方体の空間が目地部５６であり、該目地部５６に前記スペーサ部材４６を介在させ、前記支柱６、スペーサ部材４６、挟み込み板５２、及びレール部材３０をネジ止めする。ここで、レール部材３０とパネル体の間には隙間Ｇ４が設けられ、レール部材３０が直接パネル体に接触しないことで、パネル体のロッキングを可能とする。
【符号の説明】
【００３２】
ＳＵ：上スラブ
ＳＤ：下スラブ
Ｇ１：クリアランス
Ｇ３：上部空間
Ｇ４：隙間
１  吊り天井構造体
２  フロア構造体
３  パネル構造体
４  天レール
５  地レール
６  支柱
７  パネル板
８  係止具
１２  吊支部材
１３  天井支持レール
１４  ブレース
１５  天井パネル
１６  アジャスター
１７  天保持金具
１８  天レール凹溝
１９  地レール凹溝
２０  面板
２１  係止孔
２２  係合孔
２９  引戸
３０  レール部材
３１  レール基板
３２  レールカバー
３３  ガイドレール
３４  レール基板側壁
３５  天ネジ
３６  レール基板凹部
３７  下板部
３８  凹部ネジ穴
３９  下板部ネジ穴
４０  上板部
４１  ガイドローラー板材
４２  ガイドローラー
４３  吊支ネジ
４４  引戸下部ローラー
４５  ストッパー
４６  スペーサ部材
４７  上部ネジ穴
４８  中部ネジ穴
４９  下部ネジ穴
５０  上ネジ
５１  下ネジ
５２  挟み込み板
５３  挟み込み板上部ネジ穴
５４  挟み込み板下部ネジ穴
５６  目地部
５７  ワッシャー
５８  パネル板端部
６０  左端部
６１  右端部
θ    フレ角θ
【図１】
2019070257.tif 000003
【図２】
2019070257.tif 000004
【図３】
2019070257.tif 000005
【図４】
2019070257.tif 000006
【図５】
2019070257.tif 000007
【図６】
2019070257.tif 000008
【図７】
2019070257.tif 000009
【図８】
2019070257.tif 000010
【図９】
2019070257.tif 000011